(57)【要約】【課題】右眼用の第１、第２色の映像及び左眼用の第３色の映像を一方の装置で投射し、左眼用の第１、第２色の映像及び右眼用の第３色の映像を他方の装置で投射した場合に表示される映像の色バランスのずれを抑える。【解決手段】表示装置１０Ａは、右眼用の赤と青の映像と左眼用の緑の映像を投射し、表示装置１０Ｂは、左眼用の赤と青の映像と右眼用の緑の映像を投射する。表示装置１０Ａは、自装置の三つの液晶ライトバルブのＸＹＺ情報と、表示装置１０Ｂから取得した液晶ライトバルブ１２１１ＲＢ、１２１１ＧＢ、１２１１ＢＢのＸＹＺ情報を用いて、各色の映像信号を補正するＬＵＴを生成する。表示装置１０Ｂは、自装置の三つの液晶ライトバルブのＸＹＺ情報と、表示装置１０Ａから取得した液晶ライトバルブ１２１１ＲＡ、１２１１ＧＡ、１２１１ＢＡのＸＹＺ情報を用いて、各色の映像信号を補正するＬＵＴを生成する。【選択図】図２
2014029361.tif 000002
【特許請求の範囲】
【請求項１】
両眼の一方の眼用の第１色と第２色の映像及び他方の眼用の第３色の映像を投射する表示装置であって、
前記第１色の光を変調して第１映像を生成するライトバルブで前記第１映像の階調を予め定められた範囲で変化させて測定した三刺激値、前記第２色の光を変調して第２映像を生成するライトバルブで前記第２映像の階調を前記範囲で変化させて測定した三刺激値、及び前記第３色の光を変調して第３映像を生成するライトバルブで前記第３映像の階調を前記範囲で変化させて測定した三刺激値を記憶する第１記憶部と、
前記両眼の他方の眼用の第１、第２色の映像及び前記一方の眼用の第３色の映像を投射する第２表示装置が投射した映像を測定して得た三刺激値であって、前記第１色の光を変調して第４映像を生成するライトバルブで前記第４映像の階調を前記範囲で変化させて測定した三刺激値、前記第２色の光を変調して第５映像を生成するライトバルブで前記第５映像の階調を前記範囲で変化させて測定した三刺激値、及び前記第３色の光を変調して第６映像を生成するライトバルブで前記第６映像の階調を前記範囲で変化させて測定した三刺激値を記憶する第２記憶部と、
前記第１記憶部に記憶されている三刺激値と、前記第２記憶部に記憶されている三刺激値とに基づいて、自装置において前記第１色の映像信号を補正するルックアップテーブル、自装置において前記第２色の映像信号を補正するルックアップテーブル、及び自装置において前記第３色の映像信号を補正するルックアップテーブルを生成する演算部と
を備える表示装置。
【請求項２】
前記第２表示装置と通信を行う通信部を有し、
前記通信部は、前記第２記憶部に記憶させる三刺激値を前記第２表示装置と通信を行なって前記第２表示装置から取得し、
取得した三刺激値が前記第２記憶部に記憶される
請求項１に記載の表示装置。
【請求項３】
前記第２表示装置は、当該第２表示装置を識別する識別子を有し、
前記第２記憶部は、当該識別子と、当該識別子の第２表示装置から取得した三刺激値とを対応付けて記憶し、
前記通信部は、前記識別子を取得し、取得した前記識別子が前記第２記憶部に既に記憶されている場合、前記第２表示装置から三刺激値を取得しない
請求項２に記載の表示装置。
【請求項４】
二次元映像を投射する場合、前記演算部は、前記第１記憶部に記憶されている三刺激値に基づいて、自装置において前記第１色の映像信号を補正するルックアップテーブル、自装置において前記第２色の映像信号を補正するルックアップテーブル、及び自装置において前記第３色の映像信号を補正するルックアップテーブルを生成する
請求項１乃至請求項３のいずれか一項に記載の表示装置。
【請求項５】
両眼の一方の眼用の第１色、第２色の映像及び他方の眼用の第３色の映像を第１表示装置で投射し、前記他方の眼用の第１色、第２色の映像及び前記一方の眼用の第３色の映像を第２表示装置で投射する表示システムの前記第１表示装置が投射した映像を測定して得た三刺激値であって、前記第１色の光を変調して第１映像を生成するライトバルブで前記第１映像の階調を予め定められた範囲で変化させて測定した三刺激値、前記第２色の光を変調して第２映像を生成するライトバルブで前記第２映像の階調を前記範囲で変化させて測定した三刺激値、及び前記第３色の光を変調して第３映像を生成するライトバルブで前記第３映像の階調を前記範囲で変化させて測定した三刺激値を記憶する第１記憶部と、
前記第２表示装置が投射した映像を測定して得た三刺激値であって、前記第１色の光を変調して第４映像を生成するライトバルブで前記第４映像の階調を前記範囲で変化させて測定した三刺激値、前記第２色の光を変調して第５映像を生成するライトバルブで前記第５映像の階調を前記範囲で変化させて測定した三刺激値、及び前記第３色の光を変調して第６映像を生成するライトバルブで前記第６映像の階調を前記範囲で変化させて測定した三刺激値を記憶する第２記憶部と、
前記第１記憶部に記憶されている三刺激値と、前記第２記憶部に記憶されている三刺激値とに基づいて、前記第１表示装置において前記第１色の映像信号を補正するルックアップテーブル、前記第１表示装置において前記第２色の映像信号を補正するルックアップテーブル、前記第１表示装置において前記第３色の映像信号を補正するルックアップテーブル、前記第２表示装置において前記第１色の映像信号を補正するルックアップテーブル、前記第２表示装置において前記第２色の映像信号を補正するルックアップテーブル、及び前記第２表示装置において前記第３色の映像信号を補正するルックアップテーブルを生成する演算部と、
前記演算部が生成した前記第１表示装置に係るルックアップテーブルを前記第１表示装置へ送信し、前記演算部が生成した前記第２表示装置に係るルックアップテーブルを前記第２表示装置へ送信する通信部と
を備える画像処理装置。
【請求項６】
両眼の一方の眼用の第１色、第２色の映像及び他方の眼用の第３色の映像を投射する第１表示装置と、前記他方の眼用の第１色、第２色の映像及び前記一方の眼用の第３色の映像を投射する第２表示装置を有する表示システムであって、
前記第１表示装置と前記第２表示装置の各々は、
前記第１表示装置が投射した映像を測定して得た三刺激値であって、前記第１色の光を変調して第１映像を生成するライトバルブで前記第１映像の階調を予め定められた範囲で変化させて測定した三刺激値、前記第２色の光を変調して第２映像を生成するライトバルブで前記第２映像の階調を前記範囲で変化させて測定した三刺激値、及び前記第３色の光を変調して第３映像を生成するライトバルブで前記第３映像の階調を前記範囲で変化させて測定した三刺激値を記憶する第１記憶部と、
前記第２表示装置が投射した映像を測定して得た三刺激値であって、前記第１色の光を変調して第４映像を生成するライトバルブで前記第４映像の階調を前記範囲で変化させて測定した三刺激値、前記第２色の光を変調して第５映像を生成するライトバルブで前記第５映像の階調を前記範囲で変化させて測定した三刺激値、及び前記第３色の光を変調して第６映像を生成するライトバルブで前記第６映像の階調を前記範囲で変化させて測定した三刺激値を記憶する第２記憶部と、
前記第１記憶部に記憶されている三刺激値と、前記第２記憶部に記憶されている三刺激値とに基づいて、自装置において前記第１色の映像信号を補正するルックアップテーブル、自装置において前記第２色の映像信号を補正するルックアップテーブル、及び自装置において前記第３色の映像信号を補正するルックアップテーブルを生成する演算部と
を有する表示システム。
【請求項７】
両眼の一方の眼用の第１色、第２色の映像及び他方の眼用の第３色の映像を第１表示装置で投射し、前記他方の眼用の第１色、第２色の映像及び前記一方の眼用の第３色の映像を第２表示装置で投射する表示方法であって、
前記第１表示装置と前記第２表示装置の各々は、
前記第１表示装置が投射した映像を測定して得た三刺激値であって、前記第１色の光を変調して第１映像を生成するライトバルブで前記第１映像の階調を予め定められた範囲で変化させて測定した三刺激値、前記第２色の光を変調して第２映像を生成するライトバルブで前記第２映像の階調を前記範囲で変化させて測定した三刺激値、及び前記第３色の光を変調して第３映像を生成するライトバルブで前記第３映像の階調を前記範囲で変化させて測定した三刺激値を記憶する第１記憶部と、
前記第２表示装置が投射した映像を測定して得た三刺激値であって、前記第１色の光を変調して第４映像を生成するライトバルブで前記第４映像の階調を前記範囲で変化させて測定した三刺激値、前記第２色の光を変調して第５映像を生成するライトバルブで前記第５映像の階調を前記範囲で変化させて測定した三刺激値、及び前記第３色の光を変調して第６映像を生成するライトバルブで前記第６映像の階調を前記範囲で変化させて測定した三刺激値を記憶する第２記憶部
を有し、
前記第１記憶部に記憶されている三刺激値と、前記第２記憶部に記憶されている三刺激値とに基づいて、自装置において前記第１色の映像信号を補正するルックアップテーブル、自装置において前記第２色の映像信号を補正するルックアップテーブル、及び自装置において前記第３色の映像信号を補正するルックアップテーブルを生成する生成ステップ
を備える表示方法。
【発明の詳細な説明】
【技術分野】
【０００１】
本発明は、複数の表示装置を用いて立体映像を視聴する技術に関する。
【背景技術】
【０００２】
特許文献１には、２つのプロジェクタを用いて立体視用の画像を投射するシステムが開示されている。このシステムにおいては、左眼用の赤の映像信号、右眼用の緑の映像信号及び左眼用の青の映像信号が第１のプロジェクタに供給される。第１のプロジェクタにおいては、赤色用の液晶ライトバルブからＳ偏光の赤の映像光が出力され、緑色用の液晶ライトバルブからＰ偏光の緑の映像光が出力され、青色用の液晶ライトバルブからＳ偏光の青の映像光が出力され、各映像光が投射レンズを介してスクリーンに投射される。また、右眼用の赤の映像信号、左眼用の緑の映像信号及び右眼用の青の映像信号が第２のプロジェクタに供給される。第２のプロジェクタにおいては、赤色用の液晶ライトバルブからＳ偏光の赤の映像光が出力され、緑色用の液晶ライトバルブからＰ偏光の緑の映像光が出力され、青色用の液晶ライトバルブからＳ偏光の青の映像光が出力される。各液晶ライトバルブを通過した映像光が投射レンズを通過するが、第２のプロジェクタの投射レンズにおいて光が出力される側には、位相差板が設けられているため、赤の映像光はＰ偏光となり、緑の映像光はＳ偏光となり、青の映像光はＰ偏光となってスクリーンに投射される。特許文献１のシステムによれば、左眼用の映像光はＳ偏光で揃い、右眼用の映像光はＰ偏光で揃うことになる。
【先行技術文献】
【特許文献】
【０００３】
【特許文献１】特開２００３−１８５９６９号公報
【発明の概要】
【発明が解決しようとする課題】
【０００４】
液晶ライトバルブを用いたプロジェクタにおいては、供給された各色の映像信号を各色のライトバルブの特性に基づいて調整し、投射される映像において色のバランスが崩れないようにしている。
特許文献１のシステムにおいては、左眼用の赤と青の映像信号は第１のプロジェクタの液晶ライトバルブの特性に基づいて調整され、左眼用の緑の映像信号は、第２のプロジェクタの液晶ライトバルブの特性に基づいて調整されてしまう。ここで、緑の映像信号は、赤及び青の映像を投射するプロジェクタとは異なるプロジェクタの特性に基づいて調整されてしまうため、投射される映像は色のバランスが崩れてしまう。また、右眼用の映像信号についても、同様に緑の映像信号だけ異なるプロジェクタの特性に基づいて調整されてしまうため、投射される映像の色のバランスが崩れてしまう。
【０００５】
本発明は、上述した事情に鑑みてなされたものであり、その目的の一つは、右眼用の第１、第２色の映像及び左眼用の第３色の映像を一方の装置で投射し、左眼用の第１、第２色の映像及び右眼用の第３色の映像を他方の装置で投射した場合に表示される映像の色バランスのずれを抑えるようにすることにある。
【課題を解決するための手段】
【０００６】
上記目的を達成するために、本発明に係る表示装置は、両眼の一方の眼用の第１色と第２色の映像及び他方の眼用の第３色の映像を投射する表示装置であって、前記第１色の光を変調して第１映像を生成するライトバルブで前記第１映像の階調を予め定められた範囲で変化させて測定した三刺激値、前記第２色の光を変調して第２映像を生成するライトバルブで前記第２映像の階調を前記範囲で変化させて測定した三刺激値、及び前記第３色の光を変調して第３映像を生成するライトバルブで前記第３映像の階調を前記範囲で変化させて測定した三刺激値を記憶する第１記憶部と、前記両眼の他方の眼用の第１、第２色の映像及び前記一方の眼用の第３色の映像を投射する第２表示装置が投射した映像を測定して得た三刺激値であって、前記第１色の光を変調して第４映像を生成するライトバルブで前記第４映像の階調を前記範囲で変化させて測定した三刺激値、前記第２色の光を変調して第５映像を生成するライトバルブで前記第５映像の階調を前記範囲で変化させて測定した三刺激値、及び前記第３色の光を変調して第６映像を生成するライトバルブで前記第６映像の階調を前記範囲で変化させて測定した三刺激値を記憶する第２記憶部と、前記第１記憶部に記憶されている三刺激値と、前記第２記憶部に記憶されている三刺激値とに基づいて、自装置において前記第１色の映像信号を補正するルックアップテーブル、自装置において前記第２色の映像信号を補正するルックアップテーブル、及び自装置において前記第３色の映像信号を補正するルックアップテーブルを生成する演算部とを備える。
この構成によれば、右眼用の第１、第２色の映像及び左眼用の第３色の映像を一方の装置で投射し、左眼用の第１、第２色の映像及び右眼用の第３色の映像を他方の装置で投射した場合に表示される映像の色バランスのずれを抑えることができる。
【０００７】
前記表示装置においては、前記第２表示装置と通信を行う通信部を有し、前記通信部は、前記第２記憶部に記憶させる三刺激値を前記第２表示装置と通信を行なって前記第２表示装置から取得し、取得した三刺激値が前記第２記憶部に記憶される構成としてもよい。
この構成によれば、通信を行なって取得した三刺激値を用いてルックアップテーブルを生成するため、組となる第２表示装置を替えても、表示される映像の色バランスのずれを抑えることができる。
【０００８】
前記表示装置においては、前記第２表示装置は、当該第２表示装置を識別する識別子を有し、前記第２記憶部は、当該識別子と、当該識別子の第２表示装置から取得した三刺激値とを対応付けて記憶し、前記通信部は、前記識別子を取得し、取得した前記識別子が前記第２記憶部に既に記憶されている場合、前記第２表示装置から三刺激値を取得しない構成としてもよい。
この構成によれば、過去に組となった第２表示装置を使用する場合、三刺激値を新たに取得しなくてもルックアップテーブルを生成することができる。
【０００９】
前記表示装置においては、二次元映像を投射する場合、前記演算部は、前記第１記憶部に記憶されている三刺激値に基づいて、自装置において前記第１色の映像信号を補正するルックアップテーブル、自装置において前記第２色の映像信号を補正するルックアップテーブル、及び自装置において前記第３色の映像信号を補正するルックアップテーブルを生成する構成としてもよい。
この構成によれば、二次元映像を投射するときに使用するルックアップテーブルを生成することができる。
【００１０】
上記目的を達成するために、本発明に係る画像処理装置は、両眼の一方の眼用の第１色、第２色の映像及び他方の眼用の第３色の映像を第１表示装置で投射し、前記他方の眼用の第１色、第２色の映像及び前記一方の眼用の第３色の映像を第２表示装置で投射する表示システムの前記第１表示装置が投射した映像を測定して得た三刺激値であって、前記第１色の光を変調して第１映像を生成するライトバルブで前記第１映像の階調を予め定められた範囲で変化させて測定した三刺激値、前記第２色の光を変調して第２映像を生成するライトバルブで前記第２映像の階調を前記範囲で変化させて測定した三刺激値、及び前記第３色の光を変調して第３映像を生成するライトバルブで前記第３映像の階調を前記範囲で変化させて測定した三刺激値を記憶する第１記憶部と、前記第２表示装置が投射した映像を測定して得た三刺激値であって、前記第１色の光を変調して第４映像を生成するライトバルブで前記第４映像の階調を前記範囲で変化させて測定した三刺激値、前記第２色の光を変調して第５映像を生成するライトバルブで前記第５映像の階調を前記範囲で変化させて測定した三刺激値、及び前記第３色の光を変調して第６映像を生成するライトバルブで前記第６映像の階調を前記範囲で変化させて測定した三刺激値を記憶する第２記憶部と、前記第１記憶部に記憶されている三刺激値と、前記第２記憶部に記憶されている三刺激値とに基づいて、前記第１表示装置において前記第１色の映像信号を補正するルックアップテーブル、前記第１表示装置において前記第２色の映像信号を補正するルックアップテーブル、前記第１表示装置において前記第３色の映像信号を補正するルックアップテーブル、前記第２表示装置において前記第１色の映像信号を補正するルックアップテーブル、前記第２表示装置において前記第２色の映像信号を補正するルックアップテーブル、及び前記第２表示装置において前記第３色の映像信号を補正するルックアップテーブルを生成する演算部と、前記演算部が生成した前記第１表示装置に係るルックアップテーブルを前記第１表示装置へ送信し、前記演算部が生成した前記第２表示装置に係るルックアップテーブルを前記第２表示装置へ送信する通信部とを備える。
この構成によれば、右眼用の第１、第２色の映像及び左眼用の第３色の映像を一方の装置で投射し、左眼用の第１、第２色の映像及び右眼用の第３色の映像を他方の装置で投射した場合に表示される映像の色バランスのずれを抑えることができる。
【００１１】
上記目的を達成するために、本発明に係る表示システムは、両眼の一方の眼用の第１色、第２色の映像及び他方の眼用の第３色の映像を投射する第１表示装置と、前記他方の眼用の第１色、第２色の映像及び前記一方の眼用の第３色の映像を投射する第２表示装置を有する表示システムであって、前記第１表示装置と前記第２表示装置の各々は、前記第１表示装置が投射した映像を測定して得た三刺激値であって、前記第１色の光を変調して第１映像を生成するライトバルブで前記第１映像の階調を予め定められた範囲で変化させて測定した三刺激値、前記第２色の光を変調して第２映像を生成するライトバルブで前記第２映像の階調を前記範囲で変化させて測定した三刺激値、及び前記第３色の光を変調して第３映像を生成するライトバルブで前記第３映像の階調を前記範囲で変化させて測定した三刺激値を記憶する第１記憶部と、前記第２表示装置が投射した映像を測定して得た三刺激値であって、前記第１色の光を変調して第４映像を生成するライトバルブで前記第４映像の階調を前記範囲で変化させて測定した三刺激値、前記第２色の光を変調して第５映像を生成するライトバルブで前記第５映像の階調を前記範囲で変化させて測定した三刺激値、及び前記第３色の光を変調して第６映像を生成するライトバルブで前記第６映像の階調を前記範囲で変化させて測定した三刺激値を記憶する第２記憶部と、前記第１記憶部に記憶されている三刺激値と、前記第２記憶部に記憶されている三刺激値とに基づいて、自装置において前記第１色の映像信号を補正するルックアップテーブル、自装置において前記第２色の映像信号を補正するルックアップテーブル、及び自装置において前記第３色の映像信号を補正するルックアップテーブルを生成する演算部とを有する。
この構成によれば、右眼用の第１、第２色の映像及び左眼用の第３色の映像を一方の装置で投射し、左眼用の第１、第２色の映像及び右眼用の第３色の映像を他方の装置で投射した場合に表示される映像の色バランスのずれを抑えることができる。
【００１２】
なお、本発明は、表示装置のみならず、表示方法としても概念することが可能である。
【図面の簡単な説明】
【００１３】
【図１】表示システム１の構成を示したブロック図。
【図２】色変換部１００Ａ、１００Ｂの構成を示したブロック図。
【図３】液晶ライトバルブの三刺激値の測定結果の一例を示した図。
【図４】演算部１００３Ａ、１００３Ｂが行う処理の流れを示したフローチャート。
【発明を実施するための形態】
【００１４】
［実施形態］
図１は、本発明の一実施形態に係る表示システム１を構成する装置を示した図である。本実施形態においては、表示システム１は、表示装置１０Ａ、表示装置１０Ｂ、画像処理装置２０及び分配装置３０で構成されている。表示システム１は、偏光フィルターを有する眼鏡を用いて視聴者に立体映像を視聴させる偏光方式のシステムである。表示システム１においては、視聴者が左眼で見るための映像と、右眼で見るための映像が表示装置１０Ａと表示装置１０Ｂによりスクリーンに投射される。
【００１５】
画像処理装置２０は、右眼で見るため右眼用映像を生成する右眼用映像生成部２１と、左眼で見るため左眼用映像を生成する左眼用映像生成部２２を備えている。
右眼用映像生成部２１には右眼で見るための映像を表す右眼用の映像信号ＲＳが供給される。右眼用映像生成部２１は、供給された映像信号ＲＳを、赤（Ｒ）、緑（Ｇ）、青（Ｂ）の三色の信号に分解して右眼用の赤の映像信号Ｒｒ１、右眼用の緑の映像信号Ｒｇ１及び右眼用の青の映像信号Ｒｂ１を生成し、生成した各信号を出力する。
また、左眼用映像生成部２２には左眼で見るための映像を表す左眼用の映像信号ＬＳが供給される。左眼用映像生成部２２は、供給された映像信号ＬＳを、赤（Ｒ）、緑（Ｇ）、青（Ｂ）の三色の信号に分解して左眼用の赤の映像信号Ｌｒ１、左眼用の緑の映像信号Ｌｇ１及び左眼用の青の映像信号Ｌｂ１を生成し、生成した各信号を出力する。
【００１６】
分配装置３０は、右眼用映像生成部２１と左眼用映像生成部２２から出力された信号を取得し、取得した信号を表示装置１０Ａと表示装置１０Ｂに分配する装置である。分配装置３０は、映像信号Ｒｒ１、映像信号Ｒｇ１及び映像信号Ｒｂ１を取得する。分配装置３０は、取得した映像信号Ｒｒ１と映像信号Ｒｂ１を表示装置１０Ａへ供給し、映像信号Ｒｇ１を表示装置１０Ｂへ供給する。また、分配装置３０は、映像信号Ｌｒ１、映像信号Ｌｇ１及び映像信号Ｌｂ１を取得する。分配装置３０は、取得した映像信号Ｌｒ１と映像信号Ｌｂ１を表示装置１０Ｂへ供給し、映像信号Ｌｇ１を表示装置１０Ａへ供給する。
【００１７】
表示装置１０Ａ、１０Ｂは、画像をスクリーンに投射する液晶プロジェクターである。
まず、表示装置１０Ａの構成について説明する。表示装置１０Ａは、色変換部１００Ａ、通信部１１０Ａ及び投射部１２０Ａを有している。通信部１１０Ａは、後述する表示装置１０Ｂの通信部１１０Ｂと通信ケーブルで接続される。通信部１１０Ａは、通信部１１０Ｂと通信ケーブルを介して各種データの送信及び受信を行う通信インターフェースとして機能する。なお、本実施形態においては、通信部１１０Ａは、通信ケーブルを介して通信を行うが、無線通信により通信部１１０Ｂと通信を行う構成であってもよい。
【００１８】
色変換部１００Ａは、分配装置３０から表示装置１０Ａに供給される映像信号を取得し、取得した映像信号を補正して出力するものである。色変換部１００Ａは、分配装置３０から供給された映像信号Ｒｒ１を取得し、映像信号Ｒｒ１を補正して得られる映像信号Ｒｒ２を投射部１２０Ａに供給する。また、色変換部１００Ａは、分配装置３０から供給された映像信号Ｒｂ１を取得し、映像信号Ｒｂ１を補正して得られる映像信号Ｒｂ２を投射部１２０Ａに供給する。また、色変換部１００Ａは、分配装置３０から供給された映像信号Ｌｇ１を取得し、映像信号Ｌｇ１を補正して得られる映像信号Ｌｇ２を投射部１２０Ａに供給する。なお、色変換部１００Ａの詳細については後述する。
【００１９】
投射部１２０Ａは、色変換部１００Ａから供給される映像信号Ｒｒ２、映像信号Ｌｇ２及び映像信号Ｒｂ２に対応した映像をスクリーンに投射するものである。投射部１２０Ａは、光源１２０１Ａ、ダイクロイックミラー１２０２Ａ、１２０３Ａ、ミラー１２０４Ａ〜１２０６Ａ、ダイクロイックプリズム１２０７Ａ、投射レンズ１２０８Ａ、偏光ビームスプリッター１２１０Ａ、液晶ライトバルブ１２１１ＲＡ、１２１１ＧＡ、１２１１ＢＡを有する。
【００２０】
光源１２０１Ａは、光を発するランプを備えている。ランプの一例としては、メタルハライドランプ、ハロゲンランプ又はキセノンランプなどがある。光源１２０１Ａが発した光は、偏光ビームスプリッター１２１０Ａに入射する。偏光ビームスプリッター１２１０Ａは、入射した光からＳ偏光を分離し、Ｐ偏光を通過させるものである。偏光ビームスプリッター１２１０Ａを通過したＰ偏光は、ダイクロイックミラー１２０２Ａに入射する。ダイクロイックミラー１２０２Ａは、赤色波長帯域の光を透過し、緑色波長帯域及び青色波長帯域の光を反射する鏡である。ダイクロイックミラー１２０２Ａを透過した光は、ミラー１２０４Ａで反射されて液晶ライトバルブ１２１１ＲＡに入射する。ダイクロイックミラー１２０３Ａは、ダイクロイックミラー１２０２Ａで反射された光のうち、緑色波長帯域の光を反射し、青色波長帯域の光を透過する鏡である。ダイクロイックミラー１２０３Ａで反射した光は、液晶ライトバルブ１２１１ＧＡに入射する。ミラー１２０５Ａとミラー１２０６Ａは、ダイクロイックミラー１２０３Ａを透過した光を反射する鏡である。ミラー１２０５Ａとミラー１２０６Ａで反射した光は、液晶ライトバルブ１２１１ＢＡに入射する。
【００２１】
入射した光を変調する液晶ライトバルブ１２１１ＲＡ、１２１１ＧＡ、１２１１ＢＡは、透過型の液晶パネルであり、各液晶ライトバルブは、複数行複数列に配置された画素を備えている。
液晶ライトバルブ１２１１ＲＡは、映像信号Ｒｒ２に応じて各画素が制御され、各画素の透過率が変化する。液晶ライトバルブ１２１１ＲＡは、波長板を備えており、入射したＰ偏光の光はＳ偏光となってダイクロイックプリズム１２０７Ａに入射する。なお、液晶ライトバルブ１２１１ＲＡに入射する光は、赤色波長帯域の光であるため、液晶ライトバルブ１２１１ＲＡを透過した光は、映像信号Ｒｒ２が表す赤の映像（第１映像）となる。
液晶ライトバルブ１２１１ＢＡは、映像信号Ｒｂ２に応じて各画素が制御され、各画素の透過率が変化する。液晶ライトバルブ１２１１ＢＡも、波長板を備えており、入射したＰ偏光の光はＳ偏光となってダイクロイックプリズム１２０７Ａに入射する。なお、液晶ライトバルブ１２１１ＢＡに入射する光は、青色波長帯域の光であるため、液晶ライトバルブ１２１１ＢＡを透過した光は、映像信号Ｒｂ２が表す青の映像（第２映像）となる。
液晶ライトバルブ１２１１ＧＡは、映像信号Ｌｇ２に応じて各画素が制御され、各画素の透過率が変化する。また、液晶ライトバルブ１２１１ＧＡは、波長板を備えておらず、透過した光はＰ偏光のままダイクロイックプリズム１２０７Ａに入射する。なお、液晶ライトバルブ１２１１ＧＡに入射する光は、緑色波長帯域の光であるため、液晶ライトバルブ１２１１ＧＡを透過した光は、映像信号Ｌｇ２が表す緑の映像（第３映像）となる。
【００２２】
ダイクロイックプリズム１２０７Ａは、入射した緑色波長帯域の光を直進させ、入射した赤色波長帯域と青色波長帯域の光を反射して赤色波長帯域と青色波長帯域の光の進行方向を変更するプリズムである。ダイクロイックプリズム１２０７Ａに入射した緑の映像の光は直進して投射レンズ１２０８Ａに入射する。また、ダイクロイックプリズム１２０７Ａに入射して進行方向が変更された赤と青の映像の光も、投射レンズ１２０８Ａに入射する。
投射レンズ１２０８Ａは、入射した光が表す映像を拡大してスクリーンに投射するレンズである。ダイクロイックプリズム１２０７Ａから入射した光が投射レンズ１２０８Ａを通過すると、右眼用でＳ偏光の赤の映像、左眼用でＰ偏光の緑の映像及び右眼用でＳ偏光の青の映像がスクリーンに投射される。
【００２３】
次に表示装置１０Ｂの構成について説明する。表示装置１０Ｂは、色変換部１００Ｂ、通信部１１０Ｂ及び投射部１２０Ｂを有している。通信部１１０Ｂは、表示装置１０Ａの通信部１１０Ａと通信ケーブルで接続される。通信部１１０Ｂは、通信部１１０Ａと各種データの送信及び受信を行う通信インターフェースとして機能する。
【００２４】
色変換部１００Ｂは、分配装置３０から表示装置１０Ｂに供給される映像信号を取得し、取得した映像信号を補正して出力するものである。色変換部１００Ｂは、分配装置３０から供給された映像信号Ｌｒ１を取得し、映像信号Ｌｒ１を補正して得られる映像信号Ｌｒ２を投射部１２０Ｂに供給する。また、色変換部１００Ｂは、分配装置３０から供給された映像信号Ｌｂ１を取得し、映像信号Ｌｂ１を補正して得られる映像信号Ｌｂ２を投射部１２０Ｂに供給する。また、色変換部１００Ｂは、分配装置３０から供給された映像信号Ｒｇ１を取得し、映像信号Ｒｇ１を補正して得られる映像信号Ｒｇ２を投射部１２０Ｂに供給する。なお、色変換部１００Ｂの詳細については後述する。
【００２５】
投射部１２０Ｂは、色変換部１００Ｂら供給される映像信号Ｌｒ２、映像信号Ｒｇ２及び映像信号Ｌｂ２に対応した映像をスクリーンに投射するものである。投射部１２０Ｂは、光源１２０１Ｂ、ダイクロイックミラー１２０２Ｂ、１２０３Ｂ、ミラー１２０４Ｂ〜１２０６Ｂ、ダイクロイックプリズム１２０７Ｂ、投射レンズ１２０８Ｂ、波長板１２０９、偏光ビームスプリッター１２１０Ｂ、液晶ライトバルブ１２１１ＲＢ、１２１１ＧＢ１２１１ＢＢ有する。なお、光源１２０１Ｂ、ダイクロイックミラー１２０２Ｂ、１２０３Ｂ、ミラー１２０４Ｂ〜１２０６Ｂ、ダイクロイックプリズム１２０７Ｂ、投射レンズ１２０８Ｂ、偏光ビームスプリッター１２１０Ｂの各々の構成は、表示装置１０Ａにおいて同じ名称の部品と同じ構成であるため、その説明を省略する。
【００２６】
入射した光を変調する液晶ライトバルブ１２１１ＲＢ、１２１１ＧＢ、１２１１ＢＢは、表示装置１０Ａが有する液晶ライトバルブと同じく、透過型の液晶パネルである。
液晶ライトバルブ１２１１ＲＢは、映像信号Ｌｒ２に応じて各画素が制御され、各画素の透過率が変化する。液晶ライトバルブ１２１１ＲＢは、波長板を備えており、入射したＰ偏光の光はＳ偏光となってダイクロイックプリズム１２０７Ｂに入射する。なお、液晶ライトバルブ１２１１ＲＢに入射する光は、赤色波長帯域の光であるため、液晶ライトバルブ１２１１ＲＢを透過した光は、映像信号Ｌｒ２が表す赤の映像（第４映像）となる。
また、液晶ライトバルブ１２１１ＢＢは、映像信号Ｌｂ２に応じて各画素が制御され、各画素の透過率が変化する。液晶ライトバルブ１２１１ＢＢも、波長板を備えており、入射したＰ偏光の光はＳ偏光となってダイクロイックプリズム１２０７Ｂに入射する。なお、液晶ライトバルブ１２１１ＢＡに入射する光は、青色波長帯域の光であるため、液晶ライトバルブ１２１１ＢＢを透過した光は、映像信号Ｌｂ２が表す青の映像（第５映像）となる。
液晶ライトバルブ１２１１ＧＡは、映像信号Ｒｇ２に応じて各画素が制御され、各画素の透過率が変化する。液晶ライトバルブ１２１１ＧＢは、波長板を備えておらず、透過した光はＰ偏光のままダイクロイックプリズム１２０７Ｂに入射する。なお、液晶ライトバルブ１２１１ＧＢに入射する光は、緑色波長帯域の光であるため、液晶ライトバルブ１２１１ＧＢを透過した光は、映像信号Ｒｇ２が表す緑の映像（第６映像）となる。
【００２７】
波長板１２０９は、直線偏光の偏光方向を変えるものであり、入射したＰ偏光をＳ偏光に変え、入射したＳ偏光をＰ偏光に変えるものである。投射レンズ１２０８Ｂからは、左眼用でＳ偏光の赤の映像、右眼用でＰ変更の緑の映像及び左眼用でＳ偏光の青の映像が入射するため、波長板１２０９を通過した後は、左眼用でＰ偏光の赤の映像、右眼用でＳ変更の緑の映像及び左眼用でＰ偏光の青の映像がスクリーンに投射されることになる。表示装置１０Ａの投射レンズ１２０８Ａからは、右眼用でＳ偏光の赤の映像、左眼用でＰ偏光の緑の映像及び右眼用でＳ偏光の青の映像がスクリーンに投射されるため、右眼用の各色の映像はＳ偏光で揃い、左眼用の各色の映像はＰ偏光で揃うことになる。
左眼側にＰ偏光を透過する偏光フィルタを有し、右眼側にＳ偏光を透過する偏光フィルタを有する偏光眼鏡を視聴者が装着すると、Ｐ偏光である左眼用の映像が左眼に到達し、Ｓ偏光である右眼用の映像が右眼に到達することになり、視聴者は、立体映像を視聴することができる。
【００２８】
次に、色変換部１００Ａ及び色変換部１００Ｂの構成について説明する。図２は、色変換部１００Ａと色変換部１００Ｂの構成を示したブロック図である。色変換部１００Ａは、三次元ＬＵＴ（Look Up Table）１００２Ａ、演算部１００３Ａ、第１記憶部１００４Ａ、第２記憶部１００５Ａを有している。
【００２９】
第１記憶部１００４Ａは、液晶ライトバルブ１２１１ＲＡ、１２１１ＧＡ、１２１１ＢＡの特性を表す特性データを記憶するものである。本実施形態においては、液晶ライトバルブ１２１１ＲＡ、１２１１ＧＡ、１２１１ＢＡを透過した光が表す映像について、ＸＹＺ表色系の三刺激値を測定し、測定結果を特性データとして第１記憶部１００４Ａに記憶させる。
具体的には、例えば、液晶ライトバルブを駆動する映像信号が０〜２５５の２５６段階の階調値を表し、値が０の場合には透過率を最小とし、値が２５５の場合には透過率を最大とする。この場合、液晶ライトバルブ１２１１ＧＡを駆動する映像信号の階調値と、液晶ライトバルブ１２１１ＢＡを駆動する映像信号の階調値を０とし、液晶ライトバルブ１２１１ＲＡを駆動する映像信号の階調値を０から２５５まで一づつ変更して三刺激値を測定すると、例えば、図３の（ａ）に示した測定結果が得られる。この測定結果は、赤の映像を生成する液晶ライトバルブの階調を変化させて得られるものであるため、以下、図３の（ａ）のＸ、Ｙ及びＺの三刺激値を、ＲのＸＹＺ情報と称する。
また、液晶ライトバルブ１２１１ＲＡを駆動する映像信号の階調値と、液晶ライトバルブ１２１１ＢＡを駆動する映像信号の階調値を０とし、液晶ライトバルブ１２１１ＧＡを駆動する映像信号の階調値を０から２５５まで一づつ変更して三刺激値を測定すると、例えば、図３の（ｂ）に示した測定結果が得られる。この測定結果は、緑の映像を生成する液晶ライトバルブの階調を変化させて得られるものであるため、以下、図３の（ｂ）のＸ、Ｙ及びＺの三刺激値を、ＧのＸＹＺ情報と称する。
また、液晶ライトバルブ１２１１ＲＡを駆動する映像信号の階調値と、液晶ライトバルブ１２１１ＧＡを駆動する映像信号の階調値を０とし、液晶ライトバルブ１２１１ＢＡを駆動する映像信号の階調値を０から２５５まで一づつ変更して三刺激値を測定すると、例えば、図３の（ｃ）に示した測定結果が得られる。この測定結果は、青の映像を生成する液晶ライトバルブの階調を変化させて得られるものであるため、以下、図３の（ｃ）のＸ、Ｙ及びＺの三刺激値を、ＢのＸＹＺ情報と称する。
第１記憶部１００４Ａは、図３の（ａ）のＸ、Ｙ及びＺの値（ＲのＸＹＺ情報）と、図３の（ｂ）のＸ、Ｙ及びＺの値（ＧのＸＹＺ情報）と、図３の（ｃ）のＸ、Ｙ及びＺの値（ＢのＸＹＺ情報）を記憶する。
【００３０】
第２記憶部１００５Ａは、液晶ライトバルブ１２１１ＲＢ、１２１１ＧＢ、１２１１ＢＢの特性を表す特性データを記憶するものである。表示装置１０Ｂの第１記憶部１００４Ｂは、表示装置１０Ａの場合と同様に、液晶ライトバルブ１２１１ＧＢを駆動する映像信号の階調値と、液晶ライトバルブ１２１１ＢＢを駆動する映像信号の階調値を０とし、液晶ライトバルブ１２１１ＲＢを駆動する映像信号の階調値を０から２５５まで一づつ変更して測定したＲのＸＹＺ情報を記憶している。また、第１記憶部１００４Ｂは、液晶ライトバルブ１２１１ＲＢを駆動する映像信号の階調値と、液晶ライトバルブ１２１１ＢＢを駆動する映像信号の階調値を０とし、液晶ライトバルブ１２１１ＧＢを駆動する映像信号の階調値を０から２５５まで一づつ変更して測定したＧのＸＹＺ情報を記憶している。また、第１記憶部１００４Ｂは、液晶ライトバルブ１２１１ＲＢを駆動する映像信号の階調値と、液晶ライトバルブ１２１１ＧＢを駆動する映像信号の階調値を０とし、液晶ライトバルブ１２１１ＢＢを駆動する映像信号の階調値を０から２５５まで一づつ変更して測定したＢのＸＹＺ情報を記憶している。
通信部１１０Ａは、通信部１１０Ｂと通信を行い、第１記憶部１００４Ｂに記憶されているＲのＸＹＺ情報、ＧのＸＹＺ情報及びＢのＸＹＺ情報を取得し、取得した各ＸＹＺ情報を第２記憶部１００５Ａに記憶させる。
【００３１】
演算部１００３Ａは、第１記憶部１００４Ａに記憶されているＲ、Ｇ及びＢのＸＹＺ情報と、第２記憶部１００５Ａに記憶されているＲ、Ｇ及びＢのＸＹＺ情報を用いて、一次元ＬＵＴ１００１ＲＡ、一次元ＬＵＴ１００１ＧＡ及び一次元ＬＵＴ１００１ＢＡを生成するものである。一次元ＬＵＴの生成方法については後述する。
各一次元ＬＵＴは、赤、緑及び青の各映像信号の階調値が全て同じ値の場合、投射される映像が無彩色となるように、映像信号を液晶ライトバルブの特性にあわせて補正するためのルックアップテーブルである。一次元ＬＵＴ１００１ＲＡは、供給される赤の映像信号Ｒｒ１を補正して映像信号Ｒｒ３を出力する。また、一次元ＬＵＴ１００１ＧＡは、供給される緑の映像信号Ｌｇ１を補正して映像信号Ｌｇ３を出力し、一次元ＬＵＴ１００１ＢＡは、供給される青の映像信号Ｒｂ１を補正して映像信号Ｒｂ３を出力する。
【００３２】
三次元ＬＵＴ１００２Ａは、入力される赤の映像信号、緑の映像信号及び青の映像信号に対して階調の補正を行うルックアップテーブルである。三次元ＬＵＴ１００２Ａは、入力される赤の映像信号Ｒｒ３の階調値、緑の映像信号Ｌｇ３の階調値及び青の映像信号Ｒｂ３の階調値の組に対応付けられている赤の階調値、緑の階調値及び青の階調値を特定する。三次元ＬＵＴ１００２Ａは、特定した赤の階調値を表す赤の映像信号Ｒｒ２、特定した緑の階調値を表す緑の映像信号Ｌｇ２、及び特定した青の階調値を表す青の映像信号Ｒｂ２を投射部１２０Ａへ供給する。
【００３３】
次に、表示装置１０Ｂが備える色変換部１００Ｂについて説明する。色変換部１００Ｂは、三次元ＬＵＴ１００２Ｂ、演算部１００３Ｂ、第１記憶部１００４Ｂ、第２記憶部１００５Ｂを有している。
【００３４】
第１記憶部１００４Ｂは、上述したようにＲのＸＹＺ情報、ＧのＸＹＺ情報及びＢのＸＹＺ情報を記憶している。第２記憶部１００５Ｂは、第１記憶部１００４Ａに記憶されているＲのＸＹＺ情報、ＧのＸＹＺ情報及びＢのＸＹＺ情報を記憶するものである。通信部１１０Ｂは、通信部１１０Ａと通信を行い、第１記憶部１００４Ａに記憶されているＲのＸＹＺ情報、ＧのＸＹＺ情報及びＢのＸＹＺ情報を取得し、取得した各ＸＹＺ情報を第２記憶部１００５Ｂに記憶させる。
【００３５】
演算部１００３Ｂは、第１記憶部１００４Ｂに記憶されているＲ、Ｇ及びＢのＸＹＺ情報と、第２記憶部１００５Ｂに記憶されているＲ、Ｇ及びＢのＸＹＺ情報を用いて、一次元ＬＵＴ１００１ＲＢ、一次元ＬＵＴ１００１ＧＢ及び一次元ＬＵＴ１００１ＢＢを生成するものである。
演算部１００３Ｂの一次元ＬＵＴは、演算部１００３Ａの一次元ＬＵＴと同じく、赤、緑及び青の映像信号の階調値が全て同じ値の場合に、投射される映像が無彩色となるように、液晶ライトバルブに供給される映像信号を液晶ライトバルブの特性にあわせて補正するためのテーブルである。一次元ＬＵＴ１００１ＲＢは、供給される赤の映像信号Ｌｒ１を補正して映像信号Ｌｒ３を出力する。また、一次元ＬＵＴ１００１ＧＢは、供給される緑の映像信号Ｒｇ１を補正して映像信号Ｒｇ３を出力し、一次元ＬＵＴ１００１ＢＢは、供給される青の映像信号Ｌｂ１を補正して映像信号Ｌｂ３を出力する。
【００３６】
三次元ＬＵＴ１００２Ｂは、入力される赤の映像信号、緑の映像信号及び青の映像信号に対して階調の補正を行うルックアップテーブルである。三次元ＬＵＴ１００２Ｂは、入力される赤の映像信号Ｌｒ３の階調値、緑の映像信号Ｒｇ３の階調値及び青の映像信号Ｌｂ３の階調値の組に対応付けられている赤の階調値、緑の階調値及び青の階調値を特定する。三次元ＬＵＴ１００２Ｂは、特定した赤の階調値を表す赤の映像信号Ｌｒ２、特定した緑の階調値を表す緑の映像信号Ｒｇ２、及び特定した青の階調値を表す青の映像信号Ｌｂ２を投射部１２０Ｂへ供給する。
【００３７】
（一次元ＬＵＴの生成方法）
次に一次元ＬＵＴの生成方法について説明する。
まず、説明の便宜上、赤の映像信号を補正する一次元ＬＵＴに入力される映像信号をｒin、緑の映像信号を補正する一次元ＬＵＴに入力される映像信号をｇin、青の映像信号を補正する一次元ＬＵＴに入力される映像信号をｂinとする。また、赤の映像信号を補正する一次元ＬＵＴから出力された赤の映像信号をｒout、緑の映像信号を補正する一次元ＬＵＴから出力された緑の映像信号をｇout、青の映像信号を補正する一次元ＬＵＴから出力された青の映像信号をｂoutとする。
ｒin＝ｇin＝ｂinのときの色をＸＹＺ表色系で表したときの三刺激値をＸt（Ｓin）、Ｙt（Ｓin）、Ｚt（Ｓin）とした場合、この三刺激値と一次元ＬＵＴから出力される映像信号の関係は、以下の数１の関係となる。
【数１】
2014029361.tif 000003
【００３８】
ここで、Ｘ*（＊ｏｕｔ）、Ｙ*（＊ｏｕｔ）、Ｚ*（＊ｏｕｔ）（＊＝ｒ、ｇ、ｂ）は、各液晶ライトバルブに供給する映像信号の階調値をｒout、ｇout、ｂoutにしたときの三刺激値である。数１の関係を満たすように一次元ＬＵＴを作成するために以下の数２の行列式を考える。
【数２】
2014029361.tif 000004
【００３９】
ここで、Ｘr（ｒ）、Ｙr（ｒ）、Ｚr（ｒ）は、赤の映像信号に応じて駆動される液晶ライトバルブにおいて映像信号の階調値をｒとし、他の液晶ライトバルブを駆動する映像信号の階調値を０にしたときの映像を測定したときの三刺激値（ＸＹＺ情報）である。また、Ｘg（ｇ）、Ｙg（ｇ）、Ｚg（ｇ）は、緑の映像信号に応じて駆動される液晶ライトバルブにおいて、映像信号の階調値をｇとし、他の液晶ライトバルブを駆動する映像信号の階調値を０にしたときの映像を測定したときの三刺激値（ＸＹＺ情報）である。また、Ｘb（ｂ）、Ｙb（ｂ）、Ｚb（ｂ）は、青の映像信号に応じて駆動される液晶ライトバルブにおいて映像信号の階調値をｂとし、他の液晶ライトバルブを駆動する映像信号の階調値を０にしたときの映像を測定したときの三刺激値（ＸＹＺ情報）である。数２の式が数１の式を満たすためには、Ｒ＝Ｇ＝Ｂ＝１となるような、Ｘ*（＊）、Ｙ*（＊）、Ｚ*（＊）（＊＝ｒ、ｇ、ｂ）の組み合わせを、記憶しているＸＹＺ情報から探索すればよい。
【００４０】
この探索は、図４に示したフローチャートに従って行われる。なお、本実施形態では、演算部１００３Ａは、一次元ＬＵＴ１００１ＲＡ、一次元ＬＵＴ１００１ＧＡ、一次元ＬＵＴ１００１ＢＡの順番で一次元ＬＵＴを作成し、各一次元ＬＵＴを作成するときに図４の処理を行う。また、演算部１００３Ｂは、一次元ＬＵＴ１００１ＲＢ、一次元ＬＵＴ１００１ＧＢ、一次元ＬＵＴ１００１ＢＢの順番で一次元ＬＵＴを作成し、各一次元ＬＵＴを作成するときに図４の処理を行う。演算部１００３Ａと演算部１００３Ｂは同様の処理を行うため、以下、演算部１００３Ａと演算部１００３Ｂの各々を区別する必要のない場合は、演算部１００３とする。
【００４１】
まず、演算部１００３は、ｒin＝ｇin＝ｂinとなるようにｒin、ｇin、ｂin、を初期化する（ステップＳ１）。本実施形態においては、ｒin、ｇin、ｂin、を映像信号がとりうる階調値の最小値に初期化して各値を０にする。次に、演算部１００３は、数２の式で使用するｒ、ｇ、ｂの階調値を初期化する（ステップＳ２）。ここで演算部１００３は、ｒ、ｇ、ｂの値を最大値、例えばｒ＝ｇ＝ｂ＝２５５とする。
【００４２】
次に演算部１００３は、ｒin、ｇin、ｂinのときの三刺激値（Ｘt（Ｓin）、Ｙt（Ｓin）、Ｚt（Ｓin））を数２の式に代入する（ステップＳ３）。また、演算部１００３は、ｒ、ｇ、ｂの値を用いてＸ*（＊）、Ｙ*（＊）、Ｚ*（＊）（＊＝ｒ、ｇ、ｂ）の三刺激値を特定し、特定したＸ*（＊）、Ｙ*（＊）、Ｚ*（＊）（＊＝ｒ、ｇ、ｂ）の三刺激値を数２の式に代入してＲ、Ｇ及びＢを求める（ステップＳ４）。
【００４３】
なお、演算部１００３Ａは、一次元ＬＵＴ１００１ＲＡを生成するときには、数２の式で用いるＸr（ｒ）、Ｙr（ｒ）、Ｚr（ｒ）として、第１記憶部１００４Ａに記憶されているＲのＸＹＺ情報を用い、Ｘg（ｇ）、Ｙg（ｇ）、Ｚg（ｇ）として第２記憶部１００５Ａに記憶されているＧのＸＹＺ情報を用い、Ｘb（ｂ）、Ｙb（ｂ）、Ｚb（ｂ）として第１記憶部１００４Ａに記憶されているＢのＸＹＺ情報を用いる。
また、演算部１００３Ａは、一次元ＬＵＴ１００１ＧＡを生成するときには、数２の式で用いるＸr（ｒ）、Ｙr（ｒ）、Ｚr（ｒ）として第２記憶部１００５Ａに記憶されているＲのＸＹＺ情報を用い、Ｘg（ｇ）、Ｙg（ｇ）、Ｚg（ｇ）として第１記憶部１００４Ａに記憶されているＧのＸＹＺ情報を用い、Ｘb（ｂ）、Ｙb（ｂ）、Ｚb（ｂ）として、第２記憶部１００５Ａに記憶されているＢのＸＹＺ情報を用いる。
また、演算部１００３Ａは、一次元ＬＵＴ１００１ＢＡを生成するときには、数２の式で用いるＸr（ｒ）、Ｙr（ｒ）、Ｚr（ｒ）として第１記憶部１００４Ａに記憶されているＲのＸＹＺ情報を用い、Ｘg（ｇ）、Ｙg（ｇ）、Ｚg（ｇ）として第２記憶部１００５Ａに記憶されているＧのＸＹＺ情報を用い、Ｘb（ｂ）、Ｙb（ｂ）、Ｚb（ｂ）として第１記憶部１００４Ａに記憶されているＢのＸＹＺ情報を用いる。
【００４４】
また、演算部１００３Ｂは、一次元ＬＵＴ１００１ＲＢを生成するときには、数２の式で用いるＸr（ｒ）、Ｙr（ｒ）、Ｚr（ｒ）として、第１記憶部１００４Ｂに記憶されているＲのＸＹＺ情報を用い、Ｘg（ｇ）、Ｙg（ｇ）、Ｚg（ｇ）として第２記憶部１００５Ｂに記憶されているＧのＸＹＺ情報を用い、Ｘb（ｂ）、Ｙb（ｂ）、Ｚb（ｂ）として第１記憶部１００４Ｂに記憶されているＢのＸＹＺ情報を用いる。
また、演算部１００３Ｂは、一次元ＬＵＴ１００１ＧＢを生成するときには、数２の式で用いるＸr（ｒ）、Ｙr（ｒ）、Ｚr（ｒ）として第２記憶部１００５Ｂに記憶されているＲのＸＹＺ情報を用い、Ｘg（ｇ）、Ｙg（ｇ）、Ｚg（ｇ）として第１記憶部１００４Ｂに記憶されているＧのＸＹＺ情報を用い、Ｘb（ｂ）、Ｙb（ｂ）、Ｚb（ｂ）として第２記憶部１００５Ｂに記憶されているＢのＸＹＺ情報を用いる。
また、演算部１００３Ｂは、一次元ＬＵＴ１００１ＢＢを生成するときには、数２の式で用いるＸr（ｒ）、Ｙr（ｒ）、Ｚr（ｒ）として第１記憶部１００４Ｂに記憶されているＲのＸＹＺ情報を用い、Ｘg（ｇ）、Ｙg（ｇ）、Ｚg（ｇ）として第２記憶部１００５Ｂに記憶されているＧのＸＹＺ情報を用い、Ｘb（ｂ）、Ｙb（ｂ）、Ｚb（ｂ）として第１記憶部１００４Ｂに記憶されているＢのＸＹＺ情報を用いる。
【００４５】
次に、演算部１００３は、以下の数３の式によりＸｒｔｍｐ、Ｙｇｔｍｐ、Ｚｂｔｍｐを求める（ステップＳ５）。
【数３】
2014029361.tif 000005
【００４６】
次に、演算部１００３は、記憶しているＸＹＺ情報を用いて、図３に示したようにＸrtmpとなる場合の階調値ｒotmp、Ｙgtmpとなる場合の階調値ｇotmp、及びＺbtmpとなる場合の階調値ｂotmpを求める（ステップＳ６）。
ここで、演算部１００３Ａは、階調値ｒotmpを求めるときには第１記憶部１００４Ａに記憶されているＲのＸＹＺ情報を用い、階調値ｇotmpを求めるときには第２記憶部１００５Ａに記憶されているＧのＸＹＺ情報を用い、階調値ｂotmpを求めるときには、第１記憶部１００４Ａに記憶されているＢのＸＹＺ情報を用いる。
また、演算部１００３Ｂは、階調値ｒotmpを求めるときには第１記憶部１００４Ｂに記憶されているＲのＸＹＺ情報を用い、階調値ｇotmpを求めるときには第２記憶部１００５Ｂに記憶されているＧのＸＹＺ情報を用い、階調値ｂotmpを求めるときには、第１記憶部１００４Ｂに記憶されているＢのＸＹＺ情報を用いる。
【００４７】
次に演算部１００３は、ステップＳ４で算出したＲ、Ｇ、ＢがＲ＝Ｇ＝Ｂ＝１であるか判断する（ステップＳ７）。演算部１００３は、Ｒ＝Ｇ＝Ｂ＝１である場合（ステップＳ７でＹＥＳ）、一次元ＬＵＴに入力される階調値と、一次元ＬＵＴで補正した後の階調値とを対応付けて一次元ＬＵＴに格納する（ステップＳ８）。
具体的には、演算部１００３Ａは、赤の映像信号を補正する一次元ＬＵＴ１００１ＲＡを作成している場合には、ｒinに対して出力する階調値ｒout＝ｒotmpとし、ｒinにｒoutを対応付けて一次元ＬＵＴ１００１ＲＡに書き込む。また、演算部１００３Ａは、緑の映像信号を補正する一次元ＬＵＴ１００１ＧＡを作成している場合には、ｇinに対して出力する階調値ｇout＝ｇotmp、とし、ｇinにｇoutを対応付けて一次元ＬＵＴ１００１ＧＡに書き込む。また、演算部１００３Ａは、青の映像信号を補正する一次元ＬＵＴ１００１ＢＡを作成している場合には、ｂinに対して出力する階調値ｂout＝ｂotmp、とし、ｂinにｂoutを対応付けて一次元ＬＵＴ１００１ＢＡに書き込む。
また、演算部１００３Ｂは、赤の映像信号を補正する一次元ＬＵＴ１００１ＲＢを作成している場合には、ｒinに対して出力する階調値ｒout＝ｒotmpとし、ｒinにｒoutを対応付けて一次元ＬＵＴ１００１ＲＢに書き込む。また、演算部１００３Ｂは、緑の映像信号を補正する一次元ＬＵＴ１００１ＧＢを作成している場合には、ｇinに対して出力する階調値ｇout＝ｇotmp、とし、ｇinにｇoutを対応付けて一次元ＬＵＴ１００１ＧＢに書き込む。また、演算部１００３Ｂは、青の映像信号を補正する一次元ＬＵＴ１００１ＢＢを作成している場合には、ｂinに対して出力する階調値ｂout＝ｂotmp、とし、ｂinにｂoutを対応付けて一次元ＬＵＴ１００１ＢＢに書き込む。
【００４８】
一方、演算部１００３は、Ｒ＝Ｇ＝Ｂ＝１ではない場合（ステップＳ７でＮＯ）、ｒ、ｇ、ｂの値を、ステップＳ６で求めた階調値ｒotmp、ｇotmp、ｂotmpに設定（ステップＳ８）してステップＳ４に戻る。
【００４９】
また、演算部１００３は、ステップＳ８の後、ｒin、ｇin及ｂinの値が階調値のとりうる値の最大値（本実施形態では２５５）であるか判断する（ステップＳ１０）。演算部１００３は、ｒin＝ｇin＝ｂin＝２５５ではない場合、（ステップＳ１０でＮＯ）、ｒin、ｇin及びｂinの値に１を加算して処理の流れをステップＳ３へ戻す。演算部１００３は、ｒin＝ｇin＝ｂin＝２５５である場合（ステップＳ１０でＹＥＳ）、図４の処理を終了する。
【００５０】
本実施形態では、表示装置１０Ａの液晶ライトバルブ１２１１ＲＡ、表示装置１０Ａの液晶ライトバルブ１２１１ＢＡ、及び表示装置１０Ｂの液晶ライトバルブ１２１１ＧＢで右眼用の映像が構成される。
このため、右眼用映像について無彩色の映像とする場合、表示装置１０Ａの液晶ライトバルブ１２１１ＲＡ、表示装置１０Ａの液晶ライトバルブ１２１１ＢＡ、及び表示装置１０Ｂの液晶ライトバルブ１２１１ＧＢの特性に応じて一次元ＬＵＴを生成しないと、右眼用映像が無彩色とならなくなってしまう。
本実施形態においては、右眼用の映像に係る一次元ＬＵＴ１００１ＲＡ、一次元ＬＵＴ１００１ＢＡ及び一次元ＬＵＴ１００１ＧＢは、右眼用の赤の映像を生成する液晶ライトバルブ１２１１ＲＡの特性データ（赤のＸＹＺ情報）、右眼用の青の映像を液晶ライトバルブ１２１１ＢＡの特性データ（青のＸＹＺ情報）、及び右眼用の緑の映像を液晶ライトバルブ１２１１ＧＢの特性データ（緑のＸＹＺ情報）に応じて生成されるため、無彩色の映像を投射する場合に、右眼用映像の色のバランスが崩れることがない。
【００５１】
また、本実施形態では、表示装置１０Ｂの液晶ライトバルブ１２１１ＲＢ、表示装置１０Ｂの液晶ライトバルブ１２１１ＢＢ、及び表示装置１０Ａの液晶ライトバルブ１２１１ＧＡで左眼用映像が構成される。
このため、右眼用映像について無彩色の映像とする場合、表示装置１０Ｂの液晶ライトバルブ１２１１ＲＢ、表示装置１０Ｂの液晶ライトバルブ１２１１ＢＢ、及び表示装置１０Ａの液晶ライトバルブ１２１１ＧＡの特性に応じて一次元ＬＵＴを生成しないと、左眼用映像が無彩色とならなくなってしまう。
本実施形態においては、左眼用映像に係る一次元ＬＵＴ１００１ＲＢ、一次元ＬＵＴ１００１ＢＢ及び一次元ＬＵＴ１００１ＧＡは、左眼用の赤の映像を生成する液晶ライトバルブ１２１１ＲＢの特性データ（赤のＸＹＺ情報）、左眼用の青の映像を液晶ライトバルブ１２１１ＢＢの特性データ（青のＸＹＺ情報）、及び左眼用の緑の映像を液晶ライトバルブ１２１１ＧＡの特性データ（緑のＸＹＺ情報）に応じて生成されるため、無彩色の映像を投射する場合に、左眼用映像の色のバランスが崩れることがない。
【００５２】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００５３】
上述した実施形態においては、画像処理装置２０と分配装置３０とが別々の装置となっているが、画像処理装置２０と分配装置３０を一体化した構成であってもよい。
【００５４】
上述した実施形態においては、表示装置を一意に識別する装置識別子を各表示装置に記憶させるようにしてもよい。この構成においては、各表示装置は、接続相手の表示装置の装置識別子を取得し、生成した一次元ＬＵＴと取得した装置識別子とを対応付けて記憶してもよい。そして、各表示装置は、装置識別子を取得した場合、取得した装置識別子が既に記憶している装置識別子と一致した場合には、ＸＹＺ情報を接続相手の表示装置から取得して演算部で一次元ＬＵＴを生成するのではなく、記憶している一次元ＬＵＴを読みだして使用するようにしてもよい。
この構成によれば、例えば複数台の表示装置の中から２台を選択して一方を右眼用映像を表示する表示装置とし、他方を左眼用映像を表示する表示装置とする場合、過去に組み合わせたことのある２台であれば、一次元ＬＵＴを再度生成しなくてよいこととなる。
【００５５】
また、装置識別子を記憶する構成にあっては、各表示装置は、取得した装置識別子と、接続相手から取得したＸＹＺ情報とを対応付けて記憶するようにしてもよい。そして、各表示装置は、装置識別子を取得した場合、取得した装置識別子が既に記憶している装置識別子と一致した場合には、ＸＹＺ情報を接続相手の表示装置から取得せず、当該装置識別子に対応付けて記憶しているＸＹＺ情報を用いて一次元ＬＵＴを生成するようにしてもよい。
【００５６】
上述した実施形態においては、各表示装置が一次元ＬＵＴの生成を行なっているが、この構成に限定されるものではない。例えば、画像処理装置の一例であるパーソナルコンピュータを表示装置１０Ａと表示装置１０Ｂに接続し、パーソナルコンピュータは、第１記憶部１００４Ａに記憶されているＸＹＺ情報と、第１記憶部１００４Ｂに記憶されているＸＹＺ情報を取得して記憶するようにしてもよい。
パーソナルコンピュータは、第１記憶部１００４Ａに記憶されていたＸＹＺ情報を記憶する第１記憶部と、第１記憶部１００４Ｂに記憶されていたＸＹＺ情報を記憶する第２記憶部を有する。また、パーソナルコンピュータは、一次元ＬＵＴを生成する演算部を有する。
この場合、パーソナルコンピュータは、一次元ＬＵＴ１００１ＲＡを生成するときには、数２の式で用いるＸr（ｒ）、Ｙr（ｒ）、Ｚr（ｒ）として第１記憶部１００４Ａから取得したＲのＸＹＺ情報を用い、Ｘg（ｇ）、Ｙg（ｇ）、Ｚg（ｇ）として第１記憶部１００４Ｂから取得したＧのＸＹＺ情報を用い、Ｘb（ｂ）、Ｙb（ｂ）、Ｚb（ｂ）として第１記憶部１００４Ａから取得したＢのＸＹＺ情報を用いる。
また、パーソナルコンピュータは、一次元ＬＵＴ１００１ＧＡを生成するときには、数２の式で用いるＸr（ｒ）、Ｙr（ｒ）、Ｚr（ｒ）として第１記憶部１００４Ｂから取得したＲのＸＹＺ情報を用い、Ｘg（ｇ）、Ｙg（ｇ）、Ｚg（ｇ）として第１記憶部１００４Ａから取得したＧのＸＹＺ情報を用い、Ｘb（ｂ）、Ｙb（ｂ）、Ｚb（ｂ）として第１記憶部１００４Ｂから取得したＢのＸＹＺ情報を用いる。
また、パーソナルコンピュータは、一次元ＬＵＴ１００１ＢＡを生成するときには、数２の式で用いるＸr（ｒ）、Ｙr（ｒ）、Ｚr（ｒ）として第１記憶部１００４Ａから取得したＲのＸＹＺ情報を用い、Ｘg（ｇ）、Ｙg（ｇ）、Ｚg（ｇ）として第１記憶部１００４Ｂから取得したＧのＸＹＺ情報を用い、Ｘb（ｂ）、Ｙb（ｂ）、Ｚb（ｂ）として第１記憶部１００４Ａから取得したＢのＸＹＺ情報を用いる。
【００５７】
また、一次元ＬＵＴ１００１ＲＢを生成するときには、数２の式で用いるＸr（ｒ）、Ｙr（ｒ）、Ｚr（ｒ）として第１記憶部１００４Ｂから取得したＲのＸＹＺ情報を用い、Ｘg（ｇ）、Ｙg（ｇ）、Ｚg（ｇ）として第１記憶部１００４Ａから取得したＧのＸＹＺ情報を用い、Ｘb（ｂ）、Ｙb（ｂ）、Ｚb（ｂ）として第１記憶部１００４Ｂから取得したＢのＸＹＺ情報を用いる。
また、パーソナルコンピュータは、一次元ＬＵＴ１００１ＧＢを生成するときには、数２の式で用いるＸr（ｒ）、Ｙr（ｒ）、Ｚr（ｒ）として第１記憶部１００４Ａから取得したＲのＸＹＺ情報を用い、Ｘg（ｇ）、Ｙg（ｇ）、Ｚg（ｇ）として第１記憶部１００４Ｂから取得したＧのＸＹＺ情報を用い、Ｘb（ｂ）、Ｙb（ｂ）、Ｚb（ｂ）として第１記憶部１００４Ａから取得したＢのＸＹＺ情報を用いる。
また、パーソナルコンピュータは、一次元ＬＵＴ１００１ＢＢを生成するときには、数２の式で用いるＸr（ｒ）、Ｙr（ｒ）、Ｚr（ｒ）として第１記憶部１００４Ｂから取得したＲのＸＹＺ情報を用い、Ｘg（ｇ）、Ｙg（ｇ）、Ｚg（ｇ）として第１記憶部１００４Ａから取得したＧのＸＹＺ情報を用い、Ｘb（ｂ）、Ｙb（ｂ）、Ｚb（ｂ）として第１記憶部１００４Ｂから取得したＢのＸＹＺ情報を用いる。
【００５８】
そして、パーソナルコンピュータは、生成した一次元ＬＵＴ１００１ＲＡ、一次元ＬＵＴ１００１ＧＡ及び一次元ＬＵＴ１００１ＢＡを表示装置１０Ａへ送信し、生成した一次元ＬＵＴ１００１ＲＢ、一次元ＬＵＴ１００１ＧＢ及び一次元ＬＵＴ１００１ＢＢを表示装置１０Ｂへ送信する。各表示装置は、パーソナルコンピュータから送信された一次元ＬＵＴを記憶し、記憶した一次元ＬＵＴを用いて映像信号の補正を行うようにしてもよい。
【００５９】
上述した実施形態においては、表示装置１０Ａと表示装置１０Ｂとで右眼用映像と左眼用映像を投射して視聴者に立体映像を視聴させるようにしているが、この構成に限定されるものではない。表示システム１においては、立体映像を視聴者に視聴させる立体映像モードと、二次元の映像を視聴者に視聴させる二次元モードとを切り替えられるようにしてもよい。
本変形例の場合、表示システム１は、立体映像モードの場合、上述した実施形態の構成で動作する。一方、表示システム１は、二次元モードの場合、赤の映像信号、緑の映像信号及び青の映像信号を表示装置１０Ａに供給し、表示装置１０Ａが、赤の映像、緑の映像及び青の映像をスクリーンに投射するようにしてもよい。また、二次元の映像を視聴者に視聴させる場合、表示装置１０Ａではなく、表示装置１０Ｂに各色の映像信号供給し、表示装置１０Ｂが、各色の映像をスクリーンに投射するようにしてもよい。
【００６０】
二次元モードで表示装置１０Ａを用いて映像を投射する場合、表示装置１０Ａは、液晶ライトバルブ１２１１ＲＡを測定して得られたＲのＸＹＺ情報と、液晶ライトバルブ１２１１ＧＡを測定して得られたＧのＸＹＺ情報と、液晶ライトバルブ１２１１ＢＡを測定して得られたＢのＸＹＺ情報とを用いて一次元ＬＵＴ１００１ＲＡ、一次元ＬＵＴ１００１ＧＡ、及び一次元ＬＵＴ１００１ＢＡを生成する。
また、二次元モードで表示装置１０Ｂを用いて映像を投射する場合、表示装置１０Ｂは、液晶ライトバルブ１２１１ＲＢを測定して得られたＲのＸＹＺ情報と、液晶ライトバルブ１２１１ＧＢを測定して得られたＧのＸＹＺ情報と、液晶ライトバルブ１２１１ＢＢを測定して得られたＢのＸＹＺ情報とを用いて一次元ＬＵＴ１００１ＲＢ、一次元ＬＵＴ１００１ＧＢ、及び一次元ＬＵＴ１００１ＢＢを生成する。
なお、二次元モードで使用する一次元ＬＵＴについては、第１記憶部に記憶させておき、二次元モードに切り替えたときに第１記憶部から読みだして使用するようにしてもよい。
【００６１】
上述した実施形態においては、液晶ライトバルブを駆動する映像信号が０〜２５５の２５６段階の階調値を表し、値が０の場合には透過率が最小となり、値が２５５の場合には透過率が最大となる構成となっているが、値が０の場合には透過率が最大となり、値が２５５の場合には透過率が最小となる構成であってもよい。
【００６２】
上述した実施形態においては、投射部１２０Ａ、１２０Ｂは、透過型の液晶ライトバルブを用いる構成となっているが、反射型の液晶ライトバルブを用いる構成としてもよい。
【符号の説明】
【００６３】
１…表示システム、１０Ａ，１０Ｂ…表示装置、２０…画像処理装置、３０…分配装置、
１００Ａ…色変換部、１１０Ａ…通信部、１２０Ａ…投射部、１００Ｂ…色変換部、１１０Ｂ…通信部、１２０Ｂ…投射部、１００１ＲＡ，１００１ＲＢ…一次元ＬＵＴ、１００１ＧＡ，１００１ＧＢ…一次元ＬＵＴ、１００１ＢＡ，１００１ＢＢ…一次元ＬＵＴ、１００２Ａ，１００２Ｂ…三次元ＬＵＴ、１００３Ａ，１００３Ｂ…演算部、１００４Ａ，１００４Ｂ…第１記憶部、１００５Ａ，１００５Ｂ…第２記憶部
【図１】
2014029361.tif 000006
【図２】
2014029361.tif 000007
【図３】
2014029361.tif 000008
【図４】
2014029361.tif 000009